(57)【要約】    【課題】衣類の生地を傷めることなく、釣りにおける操作性にも優れた小物取付用リールの提供。    【解決手段】小物取付用リール１は、糸状体１５が弾性的に引出し自在に設けられた本体３と、糸状体１５の先端に設けられた小物係止用スナップ５と、本体３に設けられ、当該本体３を他の部材２２に係止する本体係止用スナップ７とを備えている。上記本体係止用スナップ７は、伸縮体１９を介して本体３に取り付けられていることが、より好ましい。また、上記小物係止用スナップ５と上記本体係止用スナップ７とは、本体３を基準に互いに略反対方向の位置に配置される。上記伸縮体１９は、本体３内の弾性付勢されたスプールに巻き取られた糸部材２７を備えていることがより好ましい。【選択図】図３
2005176930.tif 000002
【特許請求の範囲】
【請求項１】
糸状体が弾性的に引出し自在に設けられた本体と、
糸状体の先端に設けられた小物係止用スナップと、
本体に設けられ、当該本体を他の部材に係止する本体係止用スナップとを備える小物取付用リール。
【請求項２】
上記本体係止用スナップは、伸縮体を介して本体に取り付けられている請求項１に記載の小物取付用リール。
【請求項３】
上記小物係止用スナップと上記本体係止用スナップとは、本体を基準に互いに略反対方向の位置に配置されている請求項１又は２に記載の小物取付用リール。
【請求項４】
上記本体は、ケーシングと、このケーシング内で巻取方向に回転するように弾性付勢されたスプールとを備えており、
上記伸縮体は、上記スプール及び当該スプールに巻き取られた糸部材を備えている請求項２又は３に記載の小物取付用リール。
【請求項５】
上記小物取付用スナップと上記本体係止用スナップとは、使用上の互換性を備えている請求項２から４のいずれかに記載の小物取付用リール。
【請求項６】
上記スプールを付勢する付勢力は、上記糸状体が引き出されるために必要な弾性力よりも大きく設定されている請求項４又は５に記載の小物取付用リール。
【発明の詳細な説明】
【技術分野】
【０００１】
本発明は、主として釣に用いられる小物取付用リールに関する。
【背景技術】
【０００２】
実釣時においては、敏速な仕掛けの変更（釣糸の切断、ウキの変更等）が必要とされる場合があるが、頻繁に使用されるラインカッター、針外し等の小物は、いちいちポケットやバッグから取り出されるのでは不便である。このため、これらの小物を釣の妨げにならず、すぐに使用できるように携行できるピンオンリールが用いられている。
【０００３】
図８（ａ）は、従来のピンオンリール１０３が示された裏面図であり、図８（ｂ）は、そのピンオンリール１０３が示された側面図である。図８に示されているように、通常のピンオンリール１０３は、本体１０５の裏面側に安全ピン１０７を備えている。本体１０５はステンレス鋼等により形成されたケーシング１０９に引出糸（図示せず）が巻き取られたスプール（図示せず）が内蔵されている。上記引出糸は、ケーシング１０９内のスプールに巻回されて連結されている。引出糸は、上記ケーシングの下に設けられた孔から引き出され、その先端にスナップ（フックあるいは取付リングとも呼ばれる）１１１が取り付けられている。このスナップ１１１に小物類が取り付けられる。このスナップ１１１に取り付けられた小物が引っ張られると、ケーシング１０９から糸が引き出され、小物類を離すと、スプールに内蔵されたバネで引出糸が戻されて小物が元の位置に戻される。
【０００４】
ピンオンリール１０３は、図９に示されているように、上記安全ピン１０７により釣用ベスト等の衣類１１３の前身頃に止着され吊り下げられる。この安全ピン１０７が直接衣服本体の生地に止着されると、止着された箇所の生地に孔が開くことになる。この止着される箇所は、ピンオンリールを用いる人の取り扱いやすい箇所がほぼ決まっているため同一箇所になることが多い。ピンオンリールが長い間繰り返し用いられると、止着箇所である衣類の前身頃部分がほころび又美観が損なわれる。この安全ピン１０７の止着箇所の生地がちぎれてピンオンリール１０３が落ちてしまうこともある。
【０００５】
このため、安全ピンを止着するためのピンオンリール止着片を衣服本体に取り付ける提案も行われている（特開２００２−２３５２２５公報）。この提案では、その止着片の表面に形成された膨出部にピンを通すための貫通孔が設けられている。止着ピンが衣類本体に直接刺されないため衣類の生地を傷めにくい。
【特許文献１】特開２００２−２３５２２５公報
【発明の開示】
【発明が解決しようとする課題】
【０００６】
上記止着片による場合も、衣類に新たな止着片の部品が必要になり、又衣類に止着片を取り付ける加工の手間がかかる。また、止着片が取り付けられた箇所以外の箇所にピンオンリールを取り付ける自由度がない。本発明は、このような現状に鑑みてなされたものであり、衣類の生地を傷めることなく、実釣時における操作性にも優れた小物取付用リールを提供することを目的としている。
【課題を解決するための手段】
【０００７】
本発明に係る小物取付用リールは、糸状体が弾性的に引出し自在に設けられた本体と、糸状体の先端に設けられた小物係止用スナップと、本体に設けられ、当該本体を他の部材に係止する本体係止用スナップとを備えている。
【０００８】
上記本体係止用スナップは、伸縮体を介して本体に取り付けられていることが、より好ましい。
【０００９】
より好ましくは、上記小物係止用スナップと上記本体係止用スナップとは、本体を基準に互いに略反対方向の位置に配置されていることである。
【００１０】
さらには、上記本体は、ケーシングと、このケーシング内で巻取方向に回転するように弾性付勢されたスプールとを備えている。また、上記伸縮体は、上記スプール及び当該スプールに巻き取られた糸部材を備えている。
【００１１】
上記小物係止用スナップと上記本体係止用スナップとは、使用上の互換性を備えていることが、より好ましい。
【００１２】
より好ましくは、上記スプールを付勢する付勢力は、上記糸状体が引き出されるために必要な弾性力よりも大きく設定されていることである。
【発明の効果】
【００１３】
フローティングベスト、ライフジャケット等の衣類には、ファスナーや環状に縫着されたタグ等が取り付けられている。この小物取り付け用リールは、衣類に設けられているこれら他の部材に取り付けやすい形状の本体係止用スナップを備えている。衣類の生地に直接孔を開けないため衣類の生地が傷むことがない。また、本体係止用スナップが、伸縮体を介して取り付けられているときは、本体係止側にクッションがあるため、衣類及びリールの双方への衝撃が緩和される。小物係止用スナップの延びに、この伸縮体の伸びが加算される。このため、従来の大きさのピンオンリールより長く伸びる。逆にいえば、ケーシングをよりコンパクトにすることができる。また、スナップが取り付けられる箇所ならどこにでも取り付け得るため、自由に取り付け場所を変更することができる。
【発明を実施するための最良の形態】
【００１４】
以下、適宜図面が参照されつつ、好ましい実施形態に基づいて本発明が詳細に説明される。
【００１５】
図１は、本発明の一実施形態に係る小物取付用リール１が示された裏面図である。図２は、図１の小物取付用リール１が示された側面図である。小物取付用リール１は、本体３と小物係止用スナップ５と、本体係止用スナップ７とを備えている。図２に示されているように、本体３は、小物係止用スナップ５が連結されている筒状部９と、本体係止用スナップ７が連結されている筒状部１１とからなるケーシング１３を備えている。
【００１６】
図３は、図１の小物取付用リール１が用いられている様子が示された斜視図である。図３では、小物係止用スナップ５が引っ張られ始め、筒状部９から糸状体１５が少し引き出されたところが示されている。本体３には、糸状体１５が弾性的に引出し自在に設けられている。この図３では、糸状体１５が矢印１６の方向に引っ張られ始めた状態が示されている。この糸状体１５の先端に設けられた小物係止用スナップ５には、この例では、小物１７として二点鎖線で表されているラインカッターが取り付けられている。
【００１７】
図３に示されているように、本体係止用スナップ７は、後に詳述される伸縮体１９に連結されている。この本体係止用スナップ７のフック２１は、他の部材２２に取付けられやすいような形状に形成されている。図４は、図１の小物用取付リール１の分解斜視図であり、小物取付用リール１の内部構造が詳細に示されている。また、図５は、小物取付用リール１の組み立て状態の構造が示された断面図である。なお、図５では、本体係止用スナップ５及び小物係止用スナップ７の図示が省略されている。
【００１８】
図４及び図５に示されているように、筒状部９には渦巻きバネ（以下「バネ」という）２３を備えたスプール２５が内蔵されている。このスプール２５には、糸状体１５が連結されている。糸状体１５には、小物係止用スナップ５が先端に取り付けられる。筒状部１１には、本体係止用スナップ７が先端に取り付けられた糸部材２７が納められている。この糸部材２７も上記筒状部９の場合と同様に、バネ２９を備えたスプール３１に連結されている。
【００１９】
図６は、小物取付用リール１が他の部材に取り付けられている様子が示された斜視図である。本実施形態に係る小物取付用リール１は、例えば魚釣りのときに使用することができる。この小物取付用リール１は、上記本体係止用スナップ７でライフジャケット等の衣類３２の他の部材２２、例えばファスナーのプルタブ３３に装着される。この小物取付用リール１の小物係止用スナップ５に所用の小物１７が取り付けられることにより、魚釣りの最中にラインを切ったり、魚に掛かった針を外す等の動作を円滑に行うことができる。以下に、この小物取付用リール１の構造を説明する。
【００２０】
図４において、筒状部９の中心線３５と、筒状部１１の中心線３７とが交差して示されている。しかし、実際には、これら中心線３５及び３７は、同一直線上に配置され、筒状部９と筒状部１１とが対向した状態で組み立てられている。この筒状部９及び１１は、前面が開放された短筒状である。これら筒上部の材質は、錆に強いステンレス鋼又は樹脂よりなる。筒状部９及び１１の壁面には貫通した小孔３９及び４１が形成されている。この小孔３９から糸状体１５が挿通されている。また小孔４１から糸部材２７が挿通されている。なお図面では、挿通状態は省略されて記載されている。
【００２１】
筒状部９は、その底部４３に支持軸４５を備えている。この支持軸４５によって小物係止用スナップ５のスプール２５が支持される。この支持軸４５は、円柱状でネジ４７により底部の中央に固定されている。この支持軸４５は、大径の支持部４９とその先端面に立設された小径の係合柱５１とを有している。この係合柱５１は中心部に軸方向に形成された位置決め用の係合孔５３を有している。この係合孔５３は、後述の筒状部１１の位置決め用係合凸部５５と填め合わされるようになっている。さらに、上記支持部４９には、後述のバネ２３が係止されるためのスリット状の切欠部５７が備えられている。
【００２２】
スプール２５は、耐腐食性の樹脂又はステンレス鋼から形成されている。スプール２５は、円環部５９とフランジ部６１とを有している。スプール２５は筒状部９の内部の支持軸４５上で回転自在に支持され収容されている。
【００２３】
バネ２３には、例えば板状のバネ鋼を巻回して構成されたゼンマイバネが用いられる。このバネ２３は錆に強い材質で構成される。この巻回されたバネ２３は、スプール２５の円環部５９の内部に収容されている。このバネ２３の基端部６２が筒状部９側の上記切欠部５７に挿入される。これによって、バネ２３の基端部６２は筒状部９側に保持されている。
【００２４】
糸状体１５は、上記スプール２５に巻き回されている。このスプール２５には、上記バネ２３によって矢印６３の方向に回動させる力がかけられている。したがって、糸状体１５は、その先端に取付けられた小物係止用スナップ５とともにバネ２３により巻き取られる方向に弾性付勢されている。
【００２５】
糸状体１５は、例えばナイロン、綿、ポリエステル、ポリウレタン、ステンレス鋼等が用いられ得る。糸状体１５の長さは、使い方に応じて適当に設定されるが、１０ｃｍ以上、５０ｃｍ以下程度とされる。後述の係止用スナップ側の糸部材２７が伸ばされ得るため、小物１７が伸ばされる長さは合わせて１０ｃｍ以上、１００ｃｍ以下程度とすることができる。
【００２６】
小物係止用スナップ５は、ベース６４と、これに取り付けられたＵ型ピン６５とを備えている。上記ベース６４の先端部６７には糸状体１５が固定されている。Ｕ型ピン６５は、その一端部６９がベース６４に回動自在に取り付けられている。Ｕ型ピン６５の他端部７１は、ベース６４の所定部に係合することができるようになっている。すなわち、Ｕ型ピン６５の他端部７１を押圧して一端部６９側に弾性変形させ、その状態で矢印７３の方向に回動されることにより、小物係止用スナップ５を開放することができる。また、同様にして、開放状態から逆に小物係止用スナップ５を閉じることができる。
【００２７】
筒状部１１内の構造は、筒状部９内の構造と同様の構成である。ここでも支持軸７５がネジ４７によって筒状部１１の底部に連結されている。この筒状部１１の小孔４１の位置は、筒状部９の小孔３９とは接近していると使いにくい場合が多い。小孔４１と小孔３９とは隣接していなければ特に制限はない。しかし、上記両小孔３９及び４１が互いに鈍角の方向に離れて配置される方が、糸状体１５と糸部材２７とのスムースな伸びが得られる点から好ましい。より好ましくは、小孔４１が小孔３９とは本体３を基準にして反対側の位置に配置されることである（図６参照）。
【００２８】
この筒状部１１の支持軸７５は、本体係止用スナップ７側のスプール３１を支持している。また、この支持軸７５は、大径支持部７９とこの端面に立設された前述の係合凸部５５とを有している。図５に示されているように、係合凸部５５は、筒状部９側の上記係合孔５３に填め込まれている。こうして、支持軸４５と支持軸７５とが位置決めされるとともにスプール２５と３１とのがたつきが防止されることになる。
【００２９】
図４及び図５に示されているように、両筒状部９と１１との間には、介在させたワッシャ８２及び摩擦抵抗の小さい材質からなる摺動板８３が配置されている。ワッシャ８２は、支持軸４９に填め込まれ、摺動板８３を支持している。この配置により、各筒状部内部でスプール２５と３１とが互いに独立して回転することができる。また、スプール２５と３１とが同時に回転させられてもスプール間に直接の干渉が生じることはない。このため、スプール３１に取り付けられた糸部材２７は、糸状体１５とは独立してスムースに回転できる。
【００３０】
また、本体係止用スナップ７、糸部材２７、バネ２９、スプール３１の構成については、前述の小物係止用スナップ５側の構造について説明した構成と同様である。すなわち、糸部材２７は上記糸状体１５と同じ材料を用いることができる。すなわち、この例では、伸縮体１９は、バネ２９と、これにより付勢されたスプール３１と、これに巻回された糸部材２７とから構成されている。この筒状部１１側内部の各構成の材料、寸法、物性等については、求められる機能に応じて適宜筒状部９側のものとは異ならせることができる。しかし、使用の自由度が高いという面からは、筒状部９側と筒状部１１側の形状等の構成を同様にすることにより互換性を備えさせる方が好ましい。本体係止用スナップ７側に小物係止用スナップ５側と同じ長さの糸部材２７を備えさせた場合は、小物係止用スナップ５が必要に応じて通常の２倍の長さまで伸ばして用いられる。
【００３１】
また、糸部材２７の材質や長さ、スプール３１の寸法、バネ２９の種類等を筒状部９側のものと異ならせることができる。例えば、小物係止スナップ５側の糸状体１５の方が常に先に伸び、その後本体係止用スナップ７側の糸部材２７が伸びるように構成することができる。この場合は、上記スプール３１を付勢する付勢力が上記小物係止スナップ５側の糸状体１５が引き出されるために必要な弾性力よりも大きく設定される。そのため、スプール３１のバネ２９に小物取付用のバネよりも高い弾性率を有するものが用いられ得る。この構成によれば、小物を使用する際に常に安定した糸状体１５の伸びが得られ、さらに必要に応じて余分に糸部材２７を伸ばすことができるため好ましい。
【００３２】
さらに、本体係止用スナップ７側の構成要素がより小さい容積に納められるように形成されてもよい。本体係止用スナップ７側の糸部材２７に弾性を有するものを用いることができる。この場合は、本体３内部に本体係止用スナップ７が連結されるスプール３１を備えない構造も選択できる。この構成によれば、小物取付用リール１全体の容積を、よりコンパクトにすることができる。
【００３３】
図６に示されているように、本体３に設けられた本体係止用スナップ７は、ライフジャケットのファスナーのプルタブ３３に係止されている。プルタブ３３には通常孔が設けられており、この孔が利用される。プルタブ３３は、ライフジャケットには左右に各４個程度は装着されている。また、このファスナー以外のものであっても、本体係止用スナップ７のフック２１が架けられるものであれば利用可能である。
【００３４】
図７は、本発明の他の実施形態に係る小物取付用リール８７が示された部分切り欠き側面図である。この小物取付用リール８７も、本体８９と、 この本体８９の下端から弾性的に引出される糸状体９１（巻き取られた状態が二点鎖線で示されている）が備えられている。この引出自在の糸状体９１の先端には、小物係止用スナップ９３が取り付けられている。また、本体８９の上端に、本体８９を他の部材に係止する本体係止用スナップ９５とを備えている。この実施例の場合は、本体係止用スナップ９５側の伸縮体９７が本体８９のケーシング９９に取り付けられている。
【００３５】
この場合の伸縮体９７は、伸縮体９７自身が弾性的に伸縮する材料で構成される。例えば、コイル状に形成された金属バネ線状体及び天然ゴム、エチレン−プロピレン−ジエン共重合ゴム、ブチルゴム、アクリロニトリル−ブタジエンゴム、ポリウレタン等のゴム又は合成樹脂が用いられ得る。これらの材料は、美観及び材料保護の観点からさらに弾性を備えた被覆材料、例えば、ゴム編みされた繊維、可撓性コーティング材等によって被覆され得る。
【００３６】
この小物取付用リール８７では、本体８９内部がコンパクトに構成できる。また、小物係止用スナップ９３の伸びに上記伸縮体９７の伸びが加わる。そのため、本体８９内のスプール等が、より小さな体積で通常の機能を果たせるため、小物取付用リール８７全体がより小さく形成できる。なお、上記伸縮体９７に代えて、非伸縮体の糸部材が採用されてもよい。この場合は、さらに構造が簡素化され、小物取付用リールのコストがより低く抑えられる。
【００３７】
上記、いずれの場合にも、衣類の生地に孔を開けることなく係止されるので、生地が傷むことがない。このため、繰り返し長期使用されても、衣類からちぎれて落ちたりすることがない。本体係止用スナップが伸縮体を介して取り付けられる場合は、何かの拍子に衝撃的な引き伸ばし力が本体に加えられた場合でも、伸縮体によって衝撃吸収によって緩衝される。このため、小物取付用リールの糸状体に対する衝撃も小さい。小物取付用リール自体の傷みも少ない。したがって、用いられる糸状体やケーシングの種類、材質等について従来よりも多様な選択が可能となり、デザインの自由度が増大する。
【産業上の利用可能性】
【００３８】
本発明は、魚釣り用の小物を取り付けるリールに適用され得る。
【図面の簡単な説明】
【００３９】
【図１】図１は、本発明の一実施形態に係る小物取付用リールが示された裏面図である。
【図２】図２は、図１の小物取付用リールの側面図である。
【図３】図３は、図１の小物取付用リールが示された斜視図である。
【図４】図４は、図１の小物取付用リールが示された分解斜視図である。
【図５】図５は、図１の小物取付用リールが示された断面図である。
【図６】図６は、図１の小物取付用リールが他の部材に取り付けられている様子が示された斜視図である。
【図７】図７は、本発明の他の実施形態に係る小物取付用リールが示された部分切り欠き側面図である。
【図８】図８は、従来のピンオンリールが示された裏面図及び側面図である。
【図９】図９は、図８のピンオンリールが取り付けられている様子が示された斜視図である。
【符号の説明】
【００４０】
１、８７・・・小物取付用リール
３、８９・・・本体
５、９３・・・小物係止用スナップ
７、９５・・・本体係止用スナップ
９、１１・・・筒状部
１３、９９・・・ケーシング
１５、９１・・・糸状体
１７・・・小物
１９、９７・・・伸縮体
２１・・・フック
２２・・・他の部材
２３、２９、８１・・・バネ
２５、３１・・・スプール
２７・・・糸部材
３２、１１３・・・衣類
３３・・・プルタブ
３９、４１・・・小孔
４５、７５・・・支持軸
４９、７９・・・大径の支持部
５１・・・係合柱
５３・・・係合孔
５５・・・係合凸部
８３・・・摺動板
１０３・・・ピンオンリール
１０７・・・安全ピン
【図１】
2005176930.tif 000003
【図２】
2005176930.tif 000004
【図３】
2005176930.tif 000005
【図４】
2005176930.tif 000006
【図５】
2005176930.tif 000007
【図６】
2005176930.tif 000008
【図７】
2005176930.tif 000009
【図８】
2005176930.tif 000010
【図９】
2005176930.tif 000011